(57)【特許請求の範囲】
【請求項１】
本体と、前記本体の天面に配された被加熱調理器具を載置する天板と、前記天板を保持するためのフレームと、前記天板の下方に設けられた加熱コイルと、加熱を制御する制御基板と、前記制御基板上方に設置され、前記加熱コイルを保持するための基板カバーと、前記本体前方に設けられ前記加熱コイルおよび前記制御基板を冷却するための冷却ファンと、冷却風を供給するために前記本体前方に設けられた吸気口と、前記本体後方の天面上に設けられ前記加熱コイルおよび前記制御基板の冷却風を排気する排気口とを備え、左右方向に垂直に設けた第１の壁と前記第１の壁の端部と所定の間隔を設けて前後方向に形成される側壁と、前記側壁から第１の壁端部よりも内側にのび、第１の壁後方に所定の間隔を設けて左右方向に垂直に対向した第２の壁から成る浸水防壁を前記基板カバー上に設け、前記排気口下方前方に配した誘導加熱調理器。
【請求項２】
浸水防壁の側壁の前方端部を第１の壁よりも前方に設け、前記側壁の前方端部から第１の壁端部よりも内側にのび、第１の壁前方に所定の間隔を設けて左右方向に垂直に対向した第３の壁を形成する請求項１に記載の誘導加熱調理器。
【請求項３】
浸水防壁の第１の壁と第３の壁にまたがる屋根を設けた請求項２に記載の誘導加熱調理器。
【請求項４】
浸水防壁の第１の壁端部および第２の壁の開口端部に前後方向にのびるフランジを設け、前記フランジ同士は所定の間隔をあけ対向させた請求項１に記載の誘導加熱調理器。
【請求項５】
本体の底面に水抜穴を形成し、浸水防壁の底面および基板カバー後方に傾斜を設けた請求項１に記載の誘導加熱調理器。
【請求項６】
フレームに排気口を設け、前記排気口を構成する際に形成されるフレームフランジの延長ラインよりも上に浸水防壁の第２の壁の開口端を設けた請求項１に記載の誘導加熱調理器。
【請求項７】
浸水防壁内に冷却風の排気を促すための排気ファンを備え、第１の壁と第３の壁によって前記排気ファンを保持する請求項２に記載の誘導加熱調理器。
【発明の詳細な説明】
【技術分野】
【０００１】
本発明は、誘導加熱調理器に関するものである。
【背景技術】
【０００２】
図７は従来の誘導加熱調理器の図を示すものである。従来の誘導加熱調理器は、本体１と、本体１の天面に配された被加熱調理器具を載置する天板２と、天板２を保持するためのフレーム３と、天板２の下方に設けられた右加熱コイル４ａおよび左加熱コイル４ｂと、加熱を制御する制御基板５と、制御基板５上方に設置され、加熱コイル４ａ、４ｂを保持するための基板カバー６と、本体１前方および加熱コイル４ａ下方に設けられた加熱コイル４ａ、４ｂと制御基板５を冷却するための冷却ファン７と、冷却風を供給するために本体１前方に設けられた吸気口８と、本体１後方の天面上に設けられ加熱コイル４および制御基板５の冷却風を排気する左右の排気口９ａと９ｂを備え、排気口９から浸入する水を本体内に流入することを防ぐ立壁１０が基板カバー６上に構成している。
【０００３】
しかしながら、上記構成では、排気口９から本体内への水侵入を防ぐことはできるが、加熱コイル４ａの冷却風の効率のよい排気を妨げており、結果、加熱コイル４ａの冷却風のほとんどが加熱コイル４ｂの後方に配された排気口９ｂへ排気されており、冷却効率に問題があった。
【０００４】
冷却効率と排気口からの水の浸入防止とを両立させている例としては特許文献１がある。
図８は特許文献１に記載された従来の組込式誘導加熱調理器の図を示すものである。従来の組み込み式誘導加熱調理器は、本体１と、本体１に配設され流し台１１の上面に位置する排気口９と、排気口９に相対する外郭内部位置の下壁１ａに垂直な立壁１０ａを設け、さらに本体内部側下壁１ａに相対する位置に併設した天壁１ｂに垂直な立壁１０ｂを設け、一定の体積を有する箱部１２を構成している。
【０００５】
上記構成にしたことにより、使用者が鍋等に入った水を流し台１１の奥壁１１ａ方向に勢いよくこぼし、そのはね返りで排気口９に向かって浸入しようとしても、立壁１０ａがそれを防ぎ、浸水の一部が立壁１０ａ上端を飛び越えた際にも、立壁１０ｂによってこれをブロックし、本体内に設けられている制御基板５への直接の被水を防止し、さらに浸入した水を箱部１２に溜めることによって、流入による制御基板５裏面等への水の付着を防止した後、万一大量に本体内に溢水した際に、箱部１２に溜める許容値を越えるまえに、本体に設けた開口部によって流し台内に逃がし、制御基板５裏面等への水の付着を防止することができるが、上記構成では、水浸入防止のための壁は本体外郭にもうけられており、トップ部を薄型にすることができなかった。
【０００６】
トップ部を薄型にし、かつ水の浸入と冷却効率を両立させた例としては特許文献２のようなものがある。図９は特許文献２に記載された従来の組込式誘導加熱調理器を示す図である。天板２と天板２を下方から支持する支持体１４と天板２の端面部を覆設するフレーム３と本体外郭１とを備え、支持体１４の側壁には排気口９Ａを設けて、さらにフレーム３にも排気口９Ａに対応する位置に排気口９Ｂを設けた構成により、薄型のトップ構成で溢水、冷却性能を両立させ、かつ天板２の空間が広く保つことができる。
【０００７】
しかしながら、上記構成であっても、流し台と天板との凹凸は大きく、また据置等の誘導加熱調理器の場合は設置寸法制約が大きく本体外郭外に排気構成をつけることが困難となる。また、本体天面に排気口を有した場合、冷却性能を確保するためには単に壁を立て
ればよいというものではなくなる。
【先行技術文献】
【特許文献】
【０００８】
【特許文献１】特開平１１−３５４２６３号公報
【特許文献２】特開２００５−２６５２０９号公報
【発明の概要】
【発明が解決しようとする課題】
【０００９】
本発明は、前記従来の課題を解決するもので、制約のある設置状態で、本体内への水の浸入による内部部品の水濡れによる故障やトラッキングを防止する機能を損なうことなく、冷却効率性能を高めた、冷却性能と溢水性能との両立を確保した信頼性の高い誘導加熱調理器を提供することを目的とする。
【課題を解決するための手段】
【００１０】
前記従来の課題を解決するために、本発明の誘導加熱調理器は、本体と、前記本体の天面に配された被加熱調理器具を載置する天板と、前記天板を保持するためのフレームと、前記天板の下方に設けられた加熱コイルと、加熱を制御する制御基板と、前記制御基板上方に設置され、前記加熱コイルを保持するための基板カバーと、前記本体前方に設けられ前記加熱コイルおよび前記制御基板を冷却するための冷却ファンと、冷却風を供給するために前記本体前方に設けられた吸気口と、前記本体後方の天面上に設けられ前記加熱コイルおよび前記制御基板の冷却風を排気する排気口とを備え、左右方向に基板ベースに垂直に設けた第１の壁と前記第１の壁の端部と所定の間隔を設けて前後方向に形成される側壁と、前記側壁から第１の壁端部よりも内側にのび、第１の壁後方に所定の間隔を設けて左右方向に垂直に対向した第２の壁から成る浸水防壁を前記基板カバー上に設け、前記排気口下方前方に配置する構成としている。
【００１１】
上記構成により、本体天面上に設けられた排気口から水が浸入した際でも、浸水防壁の第１の壁と第２の壁によって水が本体内に流入を防止できる。さらに、第１の壁とその端部と所定の間隔を設けて前後方向に形成される側壁および、前記側壁から第１の壁端部よりも内側にのび、第１の壁後方に所定の間隔を設けて左右方向に垂直に対向した第２の壁を形成する浸水防壁の構成により、加熱コイルの冷却風の排気誘導路を確保することができる。
【発明の効果】
【００１２】
本発明の誘導加熱調理器は、本体天面上に設けられた排気口から水が浸入した際でも、浸水防壁により水が本体内に流入するのを防ぐため、内部部品および充電部の水濡れによる故障や感電、トラッキングを防ぐことができ、かつ、浸水防壁は排気誘導路を確保しているため、冷却効率を高めることができ、冷却性能と溢水性能とを両立した信頼性の高い誘導加熱調理器を提供することができる。
【図面の簡単な説明】
【００１３】
【図１】本発明の実施形態１における誘導加熱調理器の全体構成図
【図２】本発明の実施形態１における誘導加熱調理器の浸水防壁の斜視図
【図３】本発明の実施形態２における誘導加熱調理器の全体構成の斜視図
【図４】本発明の実施形態３における誘導加熱調理器の浸水防壁を備えた全体構成図
【図５】本発明の実施形態４における誘導加熱調理器の浸水防壁の断面図
【図６】本発明の実施形態５における誘導加熱調理器の浸水防壁の断面図
【図７】従来の誘導加熱調理器の全体構成の斜視図
【図８】従来の誘導加熱調理器の排気口近傍の断面図
【図９】従来の誘導加熱調理器の排気口近傍の断面図
【発明を実施するための形態】
【００１４】
第１の発明は、本体と、前記本体の天面に配された被加熱調理器具を載置する天板と、前記天板を保持するためのフレームと、前記天板の下方に設けられた加熱コイルと、加熱を制御する制御基板と、前記制御基板上方に設置され、前記加熱コイルを保持するための基板カバーと、前記本体前方に設けられ前記加熱コイルおよび前記制御基板を冷却するための冷却ファンと、冷却風を供給するために前記本体前方に設けられた吸気口と、前記本体後方の天面上に設けられ前記加熱コイルおよび前記制御基板の冷却風を排気する排気口とを備え、左右方向に垂直に設けた第１の壁と前記第１の壁の端部と所定の間隔を設けて前後方向に形成される側壁と、前記側壁から第１の壁端部よりも内側にのび、第１の壁後方に所定の間隔を設けて左右方向に垂直に対向した第２の壁から成る浸水防壁を前記基板カバー上に設け、前記排気口下方前方に配置したことにより、本体天面上に設けられた排気口から水が浸入した際でも、浸水防壁の第１の壁と第２の壁によって水が本体内に流入を防止するため、内部部品および充電部の水濡れによる故障や感電、トラッキングを防ぐことができる。さらに、第１の壁とその端部と所定の間隔を設けて前後方向に形成される側壁および、前記側壁から第１の壁端部よりも内側にのび、第１の壁後方に所定の間隔を設けて左右方向に垂直に対向した第２の壁を形成する浸水防壁の構成により、加熱コイルの冷却風の排気誘導路を確保しているため、加熱コイルの冷却風排気を妨げることがないので、冷却効率を高めることができる。よって、冷却性能と溢水性能とを両立した信頼性の高い誘導加熱調理器を提供することができる。
【００１５】
第２の発明は、特に、第１の発明の浸水防壁に、側壁の前方端部を第１の壁よりも前方に設け、前記側壁の前方端部から第１の壁端部よりも内側にのび、第１の壁前方に所定の間隔を設けて左右方向に垂直に対向した第３の壁を形成したことにより、浸水防壁が迷路状構造になり、排気口から水が浸入した場合であっても、壁が３重のためにより本体側に侵入することを防ぎ、内部部品および充電部の水濡れによる故障や感電、トラッキングを防止する。さらに、迷路状構造にすることで、加熱コイルの冷却風が浸水防壁を通る間に熱拡散されて排気されるため、排気温度が低減できる。
【００１６】
第３の発明は、特に、第２の発明の浸水防壁の第１の壁と第３の壁にまたがる屋根を設けたことにより、加熱コイルの冷却風が第１の壁上方を乗り越えることなく、第１の壁端部と側壁の所定の間隔を通り、第１の壁と第２の壁の所定の間隔を通る誘導路を形成することができるため、冷却効率をさらに高めることができる。また、排気口から表面張力によりフレームを伝ってきた水が水滴となって侵入した場合、屋根が水受けとなることで、基板カバー上に直接水滴が落ちず、水滴が加熱コイル充電部等に落ち、水濡れによる感電や故障を防ぐことができる。
【００１７】
第４の発明は、特に、第１の発明の浸水防壁の第１の壁端部および第２の壁の端部に前後方向にのびるフランジを設け、前記フランジ同士は所定の間隔をあけ対向させたことにより、本体天面上に設けられた排気口から左右方向に勢いよく水をかけられた場合においても、フランジによって水の浸入を防止することができるため、より溢水性能を高めることができる。また、フランジを形成することで浸水防壁がより迷路状構造となり、加熱コイルの冷却風が迷路状構造を通る際に熱拡散され、排気温度を低減することができる。また、より複雑な迷路状構造により、排気口から指やスプーン等が入らない構成となり、加熱コイル等の充電部に触れないようにし、感電を防ぐことができる。
【００１８】
第５の発明は、特に、第１の発明の本体の底面に水抜穴を形成し、浸水防壁の底面および基板カバー後方に傾斜を設けたことにより、本体天面上に設けられた排気口から大量に水が侵入した場合においても、浸水防壁の第２の壁によって本体側には水は浸入せず、ま
た浸水防壁の底面に溜まることなく、本体底面に落ち、本体底面に形成された水抜穴より本体外へと水が逃げるため、制御基板や充電部が水濡れすることがないため、感電や故障等を防止することができる。
【００１９】
第６の発明は、特に、第１の発明のフレームに排気口を設け、前記排気口を構成する際に形成されるフレームフランジの延長ラインよりも上に浸水防壁の第２の壁の開口端を設けたことにより、水が第２の壁の上方を乗り越えて本体側に浸入することを防ぎ、かつ、水がフレームフランジを伝って浸水防壁を越えて侵入することも防止するため、水濡れによる感電や故障を防ぐことができる。
【００２０】
第７の発明は、特に、第２の発明の浸水防壁内に冷却風の排気を促すための排気ファンを備え、第１の壁と第３の壁によって前記排気ファンを保持する構成にすることにより、排気ファンを備えることで排気を促すことができるため、冷却性能をさらに高めることができ、かつ浸水防壁があることで本体天面上に設けられた排気口から水の浸入をも防止し、水濡れによる感電や故障を防ぐことができる。
【００２１】
以下、本発明の実施の形態について図面を参照しながら説明する。なお、この実施の形態によって本発明が限定されるものではない。
【００２２】
（実施の形態１）
図１は本発明の第１の実施の形態における誘導加熱調理器の全体構成を示すものである。
【００２３】
本体１は金属を箱状に折り曲げ、上方に開口をもっており、本体１の上方開口を覆うように配される被加熱調理器具を載置する天板２と、天板２を本体１に設置するために天板２を支え、かつ接続するための穴を持つ金属製のフレーム３で構成されている。また、本発明の誘導加熱調理器は、天板２の下方に設けられた被加熱調理器具を誘導加熱するための加熱コイル４を備え、加熱出力を制御する制御基板５が本体１内に基板保持部材１５により保持されており、制御基板５上方には基板カバー６が設置され、加熱コイル４を保持している。また、本体１前方および加熱コイル４下方に設けられた加熱コイル４と制御基板５を冷却するための冷却ファン７が備えられており、矢印で示すように本体１前方に設けられた吸気口８から冷却風が吸気され、加熱コイル４および制御基板５等を冷却した後、本体１後方の天面上に設けられた排気口９から排気される構成としている。また、排気口９から浸入する水を本体内に流入することを防ぐための浸水防壁１６が基板カバー６上に設けられている。
【００２４】
ここで、浸水防壁１６は図２で示されるように、左右方向に垂直に設け、天板２およびフレーム３に当接しない程度の間隔を持たせた高さの第１の壁１７と第１の壁１７の端部と所定の間隔を設けて前後方向に形成され、第１の壁１７と同高さの側壁１８と、側壁１８から第１の壁１７端部よりも内側にのび、第１の壁１７後方に所定の間隔を設けて左右方向に垂直に対向した第２の壁１９を形成し、さらに側壁１８の前方端部を第１の壁１７よりも前方に設け、側壁１８の前方端部から第１の壁１７端部よりも内側にのび、第１の壁前方に所定の間隔を設けて左右方向に垂直に対向した第３の壁２０を形成させ、第１の壁１７と第３の壁２０にまたがる屋根２１を設けて、箱部１２を構成した。また、第１の壁１７端部から後方にのびるフランジ２２ａおよび第２の壁１９の端部から前方にのびるフランジ２２ｂを設け、フランジ同士を所定の間隔をあけ対向させた。
【００２５】
この構成において、冷却風は図２の矢印で示すように、第３の壁２０の中央の開口から第１の壁１７の左右の端上側の各開口を通りフランジ２２ａ、２２ｂを経て第２の壁１９の左右のフランジ２２ｂ間の開口を通り排気口９から排出される。
【００２６】
上記構成にすることにより、図１に示されるように、基板カバー６上に設けられた浸水防壁１６を排気口９下方前方かつ基板カバー６上面の開口より後方に配置したことにより、本体天面上に設けられた排気口９から水が浸入した際でも、図２で示される浸水防壁１６の第１の壁１７と第２の壁１９によって水が本体内に流入することを防ぐことができ、万が一、第２の壁１９を水が乗り越え、第１の壁１７と側壁１８の所定の間隔より水が侵入した場合においても、第３の壁２０がさらにその浸入を防止することができるため、内部部品および充電部の水濡れによる故障や感電、トラッキングを防ぐことができる。
【００２７】
また、第１の壁１７とその端部と所定の間隔を設けて前後方向に形成される側壁１８および、側壁１８から第１の壁１７端部よりも内側にのび、第１の壁１７後方に所定の間隔を設けて左右方向に垂直に対向した第２の壁１９を形成する浸水防壁１６の構成により、完全に壁をたてることなく、加熱コイル４の冷却風の排気誘導路を確保しているため、その排気を妨げることがないので、冷却効率を高めることができる。さらに、側壁１８の前方端部から第１の壁１７端部よりも内側にのび、第１の壁前方に所定の間隔を設けて左右方向に垂直に対向した第３の壁２０を形成させたことで、迷路状構造になり、加熱コイル４の冷却風が浸水防壁１６を通る間に熱拡散されて排気口９から排気されるため、排気温度も低減することができる。
【００２８】
また、第１の壁１７と第３の壁２０にまたがる屋根２１を設けたことで、加熱コイル４の冷却風が第１の壁１７上方を乗り越えることなく、第１の壁１７端部と側壁１８の所定の間隔を通り、第１の壁１７と第２の壁１９の所定の間隔を通り、排気される誘導路を形成することができるため、冷却効率をさらに高めることができる。さらに、排気口から表面張力によりフレーム３を伝ってきた水が水滴となって侵入した場合、屋根２１が水受けとなることで、基板カバー６上に直接水滴が落ちず、水滴が加熱コイル４充電部等に落ち、水濡れによる感電や故障を防ぐことができる。
【００２９】
さらに、第１の壁１７端部から後方にのびるフランジ２２ａおよび第２の壁１９の端部から前方にのびるフランジ２２ｂを設け、フランジ同士を所定の間隔をあけ対向させることで、本体天面上に設けられた排気口９から左右方向に勢いよく水をかけられた場合においても、フランジ２２によって水の浸入を防止することができるため、より溢水性能を高めることができる。また、フランジ２２を形成することで浸水防壁１６がより迷路状構造となり、加熱コイル４の冷却風が迷路状構造を通る際に熱拡散され、排気温度を低減することができ、さらに、より複雑な迷路状構造により、排気口から指やスプーン等が入らない構成となり、加熱コイル４等の充電部に触れないようにし、感電を防ぐこともできる。
【００３０】
以上のように、冷却性能と溢水性能とを両立した信頼性の高い誘導加熱調理器を提供することができる。
【００３１】
（実施の形態２）
図３は本発明の実施形態２における誘導加熱調理器を示すものである。
【００３２】
本実施の形態では、左右加熱コイル４ａおよび４ｂと、加熱コイル４ｂ下方に設けられた調理物を調理するための加熱庫２３を備え、本体天面上に左右排気口９ａおよび９ｂを設けた点において異なっている。その他は実施の形態１と同様であるため、説明を省略する。
【００３３】
上記構成にすることにより、排気口９ａから水が侵入した場合においても、浸水防壁１６により、浸水を防止し、制御基板５や充電部が水濡れすることがないため、感電や故障等を防ぐことができ、かつ、加熱コイル４ａの冷却風排気路が確保されているため、冷却
風は排気口９ａから排気することができる。浸水防壁１６に排気路が確保されていない場合、加熱コイル４ａを冷却した風は、加熱コイル４ｂを通り、加熱コイル４ｂ後方に設けられた排気口９ｂから排気されることとなり、冷却効率が劣る。また、加熱コイル４ａを冷却した風は温度が高いため、加熱コイル４ｂを通ることで、加熱コイル４ｂの冷却を妨げる恐れがある。そのため、浸水防壁１６に実施の形態１と同様の冷却風排気路を確保させることで、上記構成の誘導加熱調理器の冷却性能と溢水性能を両立させ、信頼性の高いものへとすることができる。
【００３４】
（実施の形態３）
図４は本発明の実施形態３における誘導加熱調理器の浸水防壁を示すものである。
【００３５】
本実施の形態では、実施の形態１の本体１底面に水抜穴２４を形成し、浸水防壁１６の底面２５および基板カバー６後方に傾斜を設けている。その他は実施の形態１と同様であるため、説明を省略する。
【００３６】
上記構成にすることにより、本体天面上に設けられた排気口９から大量に水が浸入した場合においても、浸水防壁１６の第１の壁１７もしくは第２の壁１９によって本体側には水は浸入せず、また浸水防壁１６の底面２５の傾斜に沿って流れて溜まることを抑え、本体１底面に落ち、本体底面に形成された水抜穴２４より本体１外へと水が逃げるため、制御基板５や充電部が水濡れすることがないため、感電や故障等を防止することができる。ものである。
【００３７】
（実施の形態４）
図５は本発明の実施形態４における誘導加熱調理器の断面図を示すものである。
【００３８】
本実施の形態では、実施の形態１のフレーム３に排気口９を設け、排気口９を構成する際に形成されるフレームフランジ２６の延長ラインよりも上に浸水防壁１６の第２の壁１９の開口端の上面を設けている。その他は実施の形態１と同様であるため、説明を省略する。
【００３９】
上記構成にすることにより、浸入した水がフレームフランジ２６の延長ラインから第２の壁１９に沿って落下し第２の壁１９の上方を乗り越えて本体側に浸入することを防ぎ、かつ、水がフレームフランジ２６を伝って浸水防壁１６を越えて侵入することも防止するため、水濡れによる感電や故障を防ぐことができる。
【００４０】
（実施の形態５）
図６は本発明の実施形態５における誘導加熱調理器の浸水防壁を示すものである。
【００４１】
本実施の形態では、実施の形態１の浸水防壁１６内に冷却風の排気を促すための排気ファン２７を備え、第１の壁１７と第３の壁２０によって排気ファン２７を保持する構成にしている。その他は実施の形態１と同様であるため、説明を省略する。
【００４２】
上記構成にすることにより、実施の形態１と同様に第３の壁２０の中央の開口から第１の壁１７の左右の端上側の各開口を通りフランジ２２ａ、２２ｂを経て第２の壁１９の左右のフランジ２２ｂ間の開口を通り排気口９から排出され、排気ファン２７を備えることで排気を促すことができるため、冷却性能をさらに高めることができ、かつ浸水防壁１６があることで本体天面上に設けられた排気口９から水の浸入をも防止し、水濡れによる感電や故障を防ぐことができる。
【産業上の利用可能性】
【００４３】
以上のように、本発明にかかる誘導加熱調理器は、本体天面上に設けられた排気口から水が浸入した際でも、水が本体内に流入するのを防ぐため、天面上に排気口を有する加熱調理器等の用途にも適用できる。
【符号の説明】
【００４４】
１  本体
２  天板
３  フレーム
４  加熱コイル
５  制御基板
６  基板カバー
７  冷却ファン
８  吸気口
９  排気口
１０  立壁
１１  流し台
１２  箱部
１４  支持体
１５  基板保持部材
１６  浸水防壁
１７  第１の壁
１８  側壁
１９  第２の壁
２０  第３の壁
２１  屋根
２２  フランジ
２３  加熱庫
２４  水抜穴
２５  浸水防壁底面
２６  フレームフランジ
２７  排気ファン
【図１】
0005413128.tif 000002
【図２】
0005413128.tif 000003
【図３】
0005413128.tif 000004
【図４】
0005413128.tif 000005
【図５】
0005413128.tif 000006
【図６】
0005413128.tif 000007
【図７】
0005413128.tif 000008
【図８】
0005413128.tif 000009
【図９】
0005413128.tif 000010